(57)【特許請求の範囲】
【請求項１】
地下開削構造物の造築のために施工される遮水性山留め壁であって、地下水流に対応した部分に任意の時期に地下水流を通過させるための水通過孔が形成され、
前記水通過孔は、
閉鎖された通水部を備え、該通水部は中空体の導電性金属からなる本体部と、本体部内の内壁近傍に設けられた一つまたは複数の電極と、本体部内部に電解質溶液と間隙充填物が充填され、任意の時期に前記電極に電圧を印加して本体部壁面を電食により脆性化して破壊貫通し地下水流が通過できる通水孔を形成することを特徴とする地下水流保全機能を有する山留め壁。
【請求項２】
前記遮水性山留め壁は、地下水流を遮断する任意の深度部分に前記水通過孔を備えた鋼矢板からなることを特徴とする請求項１記載の地下水流保全機能を有する山留め壁。
【請求項３】
前記遮水性山留め壁は、地下水流を遮断する任意の深度部分に前記水通過孔を備えた鋼管矢板からなることを特徴とする請求項１記載の地下水流保全機能を有する山留め壁。
【請求項４】
前記遮水性山留め壁は、地下水流を遮断する任意の深度部分に前記水通過孔を備えたソイルモルタル壁からなることを特徴とする請求項１記載の地下水流保全機能を有する山留め壁。
【請求項５】
前記遮水性山留め壁は、地下水流を遮断する任意の深度部分に前記水通過孔を備える鉄筋コンクリート壁からなることを特徴とする請求項１記載の地下水流保全機能を有する山留め壁。
【請求項６】
前記通水部は、電解質溶液供給パイプが連結されていることを特徴とする請求項１から５のいずれかに記載の地下水流保全機能を有する山留め壁。
【請求項７】
前記通水部は、電極近傍の電食部以外の内壁が絶縁層で覆われていることを特徴とする請求項１から６のいずれかに記載の地下水流保全機能を有する遮水性山留め壁。
【請求項８】
請求項４又は５記載の水通過孔は、破壊貫通された前記通水部から漏出する電解質溶液と膨張性破砕材の水和反応により膨張して通水部周辺の山留め壁を形成するソイルモルタルまたはコンクリートを破砕し地下水流が通過できる通水孔を形成する破砕部をさらに備えることを特徴とする請求項１、４、５、６又は７のいずれかに記載の地下水流保全機能を有する山留め壁。
【請求項９】
地下開削構造物のため地盤を遮断するように請求項１記載の地下水流保全機能を有する山留め壁を施工し、地下開削構造物の造築を行ない、その後任意の時期に電極に電圧を印加して通水部の本体部壁面を電食により脆性化して破壊貫通し地下水流を通過させる水通過孔を形成することを特徴とする山留め壁の施工方法。
【請求項１０】
前記水通過孔は、開削された地下開削構造物の床付けよりさらに深い位置の遮水性山留め壁部分の通水部であって、地下開削構造物の施工後の任意の時期に通水部を破壊貫通することにより水通過孔を形成し、遮水性山留め壁で遮断されていた地下水流の通水を保全することを特徴とする請求項９記載の山留め壁の施工方法。
【請求項１１】
前記水通過孔は、地下開削構造物の側面または上部の遮水性山留め壁部分の通水部であって、施工途中の任意の時期に通水部を破壊貫通して水通過孔を形成し、地下水流の上流部と下流部の通水口を連結管で連結することにより遮水性山留め壁で遮断されていた地下水流の通水を保全することを特徴とする請求項９記載の山留め壁の施工方法。
【請求項１２】
前記水通過孔は、地下開削構造物の側面または上部の遮水性山留め壁部分の通水部であって、地下開削構造物の施工と埋め戻し地上復旧後の任意の時期に、通水部を破壊貫通することにより水通過孔を形成し、遮水性山留め壁で遮断されていた地下水流の通水を保全をすることを特徴とする請求項９記載の山留め壁の施工方法。
【発明の詳細な説明】
【０００１】
【発明の属する技術分野】
本発明は、土木または建築構造物の地下部分を施工するための遮水性山留め壁に関し、詳しくは遮水性山留め壁によって遮断される地下水流の通水保全技術に関する。
【０００２】
【従来の技術】
地下鉄や地下道路など線状の地下構築物を造築する場合、大深度の遮水性山留め壁を連続して施工した場合、地域の自由な地下水流を遮断することがある。図１０は、遮水性山留め壁１００ａ、１００ｂにより地下水流が遮断される状態を示す模式図である。ここで遮水性山留め壁１００ａ、１００ｂは掘削底面地盤を安定させるため床付け１０７よりも深く、透水層１０５ａ、１０５ｂを貫通して不透水層１０６ｂまでの長い根入れ１０８とされている。このため地下水流１６０ａ、１６０ｂは上流側の遮水性山留め壁１００ｂに遮られる。
【０００３】
遮水性山留め壁１００ａ、ｂによって地下水流１６０ａ、ｂが遮られることにより、下流側の地表１５０ａは地下水位の低下に伴う地盤沈下をおこす。また地下水位の低下により立木１３０ａの立枯れ、井戸１２０の井戸枯れが発生する。さらに、建物などの構造物１１０ａの沈下などの影響がでる。
【０００４】
遮水性山留め壁１００ｂの上流側では、地下水流が堰き止められることにより、水位の上昇をきたし、上流側地表１５０ｂの地盤湿潤化により立木１３０ｂに根腐れの障害を起こしたり、構造物１１０ｂの地下部分の漏水などが発生することがある。また、地下水流の循環がなくなるため地下水そのものの水質が低下することもある。このような周辺環境への影響が施工中から現れる。
【０００５】
また、遮水性山留め壁１００ａ、ｂは、床付け１０７がその下部の地下水の影響で地下構造物が浮き上がる浮上現象が起きないよう、床付け１０７より深い部分の透水層１０５ｂを貫通して不透水層１０６ｂまで根入されている。このため、構造物の造築のため開削される床付け１０７より深い地下水流１６０ｂも遮断される。
【０００６】
前述の問題を解決するため、地下構築物の完成後に構築物の上部の遮水性山留め壁を撤去する方法で構築物の上部の地下水流を復旧する方法。
遮水性山留め壁の開削部の壁面を削孔し上流側の透水層地盤に集水パイプを挿入し下流側の透水層地盤に挿入した排水パイプと連結して地下水流を復旧させる方法。
遮水性山留め壁の開削部の両側に集排水井戸を掘り上流側の井戸と下流側の井戸を地中で連結して地下水流を復旧させる方法が知られている。
しかし、これらの地下水流動保全工法では、開削された床付け１０７の上部の地下水流１６０ａを復旧させることはできるが床付け１０７より深い部分の地下水流１６０ｂの復旧はできない問題があった。
【０００７】
また、施工後の井戸の目詰まりなどのメンテナンスに費用がかかる問題があった。
【０００８】
【発明が解決しようとする課題】
本発明は、前述の問題に鑑みてなされたものであり、地下構築物の造築後に、透水層に設けられた遮水性山留め壁の通水を復旧させることのできる地下水流保全機能を有する遮水性山留め壁を提供することを目的とする。
【０００９】
特に、床付け部以深の大深度の地下水流の復旧を、容易に、経済的に行える遮水性山留め壁の提供を目的とする。
【００１０】
また、地上の復旧が急がれる施工立地において、埋め戻し後に地下水流を復旧させることを目的とする。
【００１１】
【課題を解決するための手段】
前記課題を解決するため、本発明の地下水流保全機能を有する山留め壁は、地下開削構造物の造築のために施工される遮水性山留め壁であって、地下水流に対応した部分に任意の時期に地下水流を通過させるための水通過孔が形成され、前記水通過孔は、閉鎖された通水部を備え、該通水部は中空体の導電性金属からなる本体部と、本体部内の内壁近傍に設けられた一つまたは複数の電極と、本体部内部に電解質溶液と間隙充填物が充填され、任意の時期に前記電極に電圧を印加して本体部壁面を電食により脆性化して破壊貫通し地下水流が通過できる通水孔を形成することを特徴とする。
【００１２】
請求項２の発明は、請求項１に記載の発明であって、前記遮水性山留め壁は、地下水流を遮断する任意の深度部分に前記水通過孔を備えた鋼矢板からなることを特徴とする。
【００１３】
請求項３の発明は、請求項１に記載の発明であって、前記遮水性山留め壁は、地下水流を遮断する任意の深度部分に前記水通過孔を備えた鋼管矢板からなることを特徴とする。
【００１４】
請求項４の発明は、請求項１に記載の発明であって、前記遮水性山留め壁は、地下水流を遮断する任意の深度部分に前記水通過孔を備えたソイルモルタル壁からなることを特徴とする。
【００１５】
請求項５の発明は、請求項１に記載の発明であって、前記遮水性山留め壁は、地下水流を遮断する任意の深度部分に前記水通過孔を備える鉄筋コンクリート壁からなることを特徴とする。
【００１６】
また、請求項６記載の発明は、請求項１から５に記載の発明であって、前記通水部は、電解質溶液供給パイプが連結されていることを特徴とする。
【００１７】
また、請求項７の発明は、請求項１から６のいずれかに記載の発明であって、前記通水部は、電極近傍の電食部以外の内壁が絶縁層で覆われていることを特徴とする。
【００１８】
請求項８の発明は、請求項１、４、５、６又は７のいずれかに記載の発明であって、請求項４及び５記載の水通過孔は、破壊貫通された前記通水部から漏出する電解質溶液と膨張性破砕材の水和反応により膨張して通水部周辺の山留め壁を形成するソイルモルタルまたはコンクリートを破砕し地下水流が通過できる通水孔を形成する破砕部をさらに備えることを特徴とする。
【００１９】
請求項９の発明は、本発明の山留め壁の施工方法であって、地下開削構造物のため地盤を遮断するように請求項１記載の地下水流保全機能を有する山留め壁を施工し、地下開削構造物の造築を行ない、その後任意の時期に電極に電圧を印加して通水部の本体部壁面を電食により脆性化して破壊貫通し地下水流を通過させる水通過孔を形成することを特徴とする。
【００２０】
請求項１０の発明は、請求項９記載の発明であって、前記水通過孔は、開削された地下開削構造物の床付けよりさらに深い位置の遮水性山留め壁部分であって、地下開削構造物の施工後の任意の時期に通水部を破壊貫通することにより水通過孔を形成し、遮水性山留め壁で遮断されていた地下水流の通水を保全することを特徴とする。
【００２１】
請求項１１の発明は、請求項９記載の発明であって、前記水通過孔は、地下開削構造物の側面または上部の遮水性山留め壁部分であって、施工途中の任意の時期に通水部を破壊貫通して水通過孔を形成し、地下水流の上流部と下流部の通水口を連結管で連結することにより遮水性山留め壁で遮断されていた地下水流の通水を保全することを特徴とする。
【００２２】
請求項１２の発明は、請求項９記載の発明であって、前記水通過孔は、地下開削構造物の側面または上部の遮水性山留め壁部分の通水部であって、地下開削構造物の施工と埋め戻し地上復旧後の任意の時期に、通水部を破壊貫通することにより水通過孔を形成し、遮水性山留め壁で遮断されていた地下水流を保全をすることを特徴とする。
【００２３】
【発明の実施の形態】
以下図面に基づいて本発明の実施の形態を詳細に説明する。図１及び図２は鋼矢板を用いた本発明の地下水流保全機能を有する山留め壁の一実施の形態を示す図である。
図３及び図４は鋼管矢板を用いた本発明の地下水流保全機能を有する山留め壁の一実施の形態を示す図である。
図５及び図６はソイルセメントを用いた本発明の地下水流保全機能を有する山留め壁の一実施の形態を示す図である。
図７及び図８は鉄筋コンクリートを用いた本発明の地下水流保全機能を有する山留め壁の一実施の形態を示す図である。
図９は本発明の地下水流保全機能を有する山留め壁の施工後の地下水流の復旧状況を示す模式図である。
【００２４】
図１は、本発明の地下開削構造物の造築のために施工される鋼矢板１５からなる遮水性山留め壁１００が地下水流を遮断する深度部分に水通過孔１を配設した請求項２記載の一実施の形態を示す正面図である。図において隣り合う鋼矢板１５、１５は連結部１５ａで連結され、連結間隙には防水性の充填材で遮水性をさらに高める場合もある。
【００２５】
水通過孔１は鋼矢板１５の凹部に溶接で形成した中空体の通水部２で、筐体を形成する本体部３の底面である一方は鋼矢板１５、上面である上板３ａには開口部に透水性の間隙を有する金網３ｂが溶接されている。また、通水部２の上部には電解質溶液供給パイプ８が連結され、電解質溶液供給パイプ８は開削される床付け面１０７の上部まで伸びて電解質溶液供給口８ａが設けられている。また、電解質溶液供給パイプ８内には直流電源１３の陰極に接続された電線１３ｂが挿通され通水部内の後述する電極に接続されている。
【００２６】
前記電極に電圧を印可する際は直流電源１３の陽極は電線１３ａにより鋼矢板１５の接続端子１４ａに連結することにより行われる。
【００２７】
図２は、図１のＡ−Ａ断面を示す横断面図である。遮水性山留め壁１００を形成する鋼矢板１５の凹部に溶接で形成した中空体の通水部２の断面を示している。通水部２内部には鋼矢板１５壁面に接着された絶縁性材料からなる電極支持部材４ａに保持された電極４が電食により破壊貫通させて水通過孔１を形成する貫通部７と近接した位置に配置し、中空部分は透水間隙を有する砕石などの間隙充填物６で充填されている。
前記電極４には電解質溶液供給パイプ８内を挿通された電線１３ｂが接続されている。
本体部３の両端にある貫通部７以外の内壁は電食を防止するため絶縁性塗料等の絶縁層９を設けてある。
【００２８】
図３は、本発明の地下開削構造物の造築のために施工される鋼管矢板１６からなる遮水性山留め壁１００が地下水流を遮断する深度部分に水通過孔１を配設した請求項３記載の一実施の形態を示す平面図である。図において隣り合う鋼管矢板１６、１６は連結部１６ａで連結され、連結間隙には防水性の充填材（図示せず）で遮水性を保っている。
【００２９】
水通過孔１は鋼管矢板１６の円柱内部を横断するように設けられた中空体の通水部２で、鋼管矢板１６の周壁に溶接固定されている。また、通水部２の上部には電解質溶液供給パイプ８が連結され、電解質溶液供給パイプ８は開削される床付け面１０７の上部まで伸びてバルブ８ｂと電解質溶液供給口８ａが設けられている。また、電解質溶液供給パイプ８内には直流電源１３の陰極に接続された電線１３ｂが挿通され通水部内の後述する電極に接続されている。
【００３０】
図４は、図３のＢ−Ｂ断面を示す縦断面図である。遮水性山留め壁１００を形成する鋼管矢板１６の円柱内部を横断するように設けられた中空体の通水部２の断面を示している。通水部２は導電性金属からなる長手方向両端が閉塞された本体部３で、本体部３内部には絶縁性材料からなる電極支持部材４ａに保持された電極４が電食により破壊貫通させて水通過孔を形成する貫通部７と近接した位置に配置し、中空部分は透水間隙を有する砕石などの間隙充填物６で充填されている。前記電極４には電解質溶液供給パイプ８内を挿通された電線１３ｂが接続端子１４ｂで接続されている。
本体部３の両端にある貫通部７以外の内壁は電食を防止するため絶縁性塗料等の絶縁層９を設けてある。
前記電極に電圧を印可する際は直流電源１３の陽極は電線１３ａにより鋼管矢板１６の接続端子１４ａに連結することにより行われる。
【００３１】
図５は、本発明の地下開削構造物の造築のために施工されるソイルモルタル壁１７からなる遮水性山留め壁１００が地下水流を遮断する深度部分に水通過孔１を配設した請求項４記載の一実施の形態を示す平面図である。図においてソイルモルタル壁１７は、円周が重なり合うように穿孔された壁孔にソイルモルタル１７ｂを充填しその中央に補強材としてＨ形鋼１７ａからなる杭芯材が挿入されて固化したものである。
【００３２】
水通過孔１は、通水部２と破砕部１０よりなり、通水部２は、Ｈ形鋼１７ａの片側の凹部を横断するように設けられた中空体の本体部３で、Ｈ形鋼１７ａの中央壁と両端翼に溶接固定されている。また、破砕部１０は、Ｈ形鋼１７ａの両端翼の外壁面に溶接固定されている。さらに、通水部２の上部には電解質溶液供給パイプ８が連結され、電解質溶液供給パイプ８は開削される床付け面１０７の上部まで伸びて（図６参照）バルブ８ｂと電解質溶液供給口８ａが設けられている。また、電解質溶液供給パイプ８内には直流電源１３の陰極に接続された電線１３ｂが挿通され通水部内の後述する電極に接続されている。
【００３３】
図６は、図５のＣ−Ｃ断面を示す縦断面図である。遮水性山留め壁１００を形成するソイルモルタル壁１７の杭芯材のＨ形鋼１７ａの凹部を横断するように設けられた通水部２と、Ｈ形鋼１７ａの両端翼の外面に設けられた破砕部１０の断面を示している。通水部２は導電性金属からなる上板３ａと、下板３ｃと、側板３ｄとをＨ形鋼１７ａの中央壁と両端翼に溶接して形成した中空の閉塞された本体部３で、本体部３内部には絶縁性材料からなる電極支持部材４ａに保持された電極４が電食により破壊貫通させて水通過孔を形成する貫通部７と近接した位置に配置し、中空部分は透水間隙を有する砕石などの間隙充填物６で充填されている。前記電極４には電解質溶液供給パイプ８内を挿通された電線１３ｂが接続端子１４ｂで接続されている。
本体部３の両端にある貫通部７以外の内壁は電食を防止するため絶縁性塗料等の絶縁層９を設けてある。
前記電極に電圧を印可する際は直流電源１３の陽極は電線１３ａにより鋼管矢板１６の接続端子１４ａに連結することにより行われる。
【００３４】
前記破砕部１０は、図６に示すように、Ｈ形鋼１７ａの両端翼の外面に溶接して形成した四角枠１０ａ内部に膨張性破砕材包装体１１を複数個収納し、打設されたソイルセメントの水分を遮断する防水性の材料からなる防水カバー１０ｂで包装したものである。
【００３５】
図７は、本発明の地下開削構造物の造築のために施工される鉄筋コンクリート壁１８からなる遮水性山留め壁１００が地下水流を遮断する深度部分に水通過孔１を配設した請求項５記載の一実施の形態を示す平面図である。
図において鉄筋コンクリート壁１８は、穿孔された壁孔に鉄筋１８ａ、１８ｂを補強材としてコンクリート１８ｃを充填固化したものである。１８ａは主筋、１８ｂはフープ筋を示す。
【００３６】
水通過孔１は、通水部２と通水部の両端内部に収納された破砕部１０よりなり、通水部２は、前記コンクリート壁１８を横断するように設けられた中空体の本体部３で、鉄筋１８ａ、ｂに溶接固定されている。さらに、通水部２の上部には電解質溶液供給パイプ８が連結され、電解質溶液供給パイプ８は開削される床付け面１０７の上部まで伸びて（図８参照）バルブ８ｂと電解質溶液供給口８ａが設けられている。また、電解質溶液供給パイプ８内には直流電源１３の陰極に接続された電線１３ｂが挿通され通水部内の後述する電極に接続されている。
【００３７】
図８は、図７のＤ−Ｄ断面を示す縦断面図である。遮水性山留め壁１００を形成するコンクリート壁１８を横断するように設けられた通水部２と、通水部の両端内部に収納された破砕部１０の断面を示している。通水部２は導電性金属からなる中空の閉塞された本体部３で、本体部３内部には絶縁性材料からなる電極支持部材４ａに保持された電極４が電食により破壊貫通させて水通過孔１を形成する貫通部７と近接した位置に配置し、中空部分は透水間隙を有する砕石などの間隙充填物６で充填されている。前記電極４には電解質溶液供給パイプ８内を挿通された電線１３ｂが接続端子１４ｂで接続されている。
本体部３の両端にある貫通部７以外の内壁は電食を防止するため絶縁性塗料等の絶縁層９を設けてある。
前記電極に電圧を印可する際は直流電源１３の陽極は電線１３ａにより鋼管矢板１６の接続端子１４ａに連結することにより行われる。
【００３８】
以上説明した４実施の形態において、水通過孔１を形成する通水部２は、予め地上で鋼矢板１５、鋼管矢板１６、ソイルセメント壁の杭芯材のＨ形鋼１７ａ、または鉄筋コンクリート壁１８の補強材である鉄筋１８ａ、ｂに取付けておき、地中に立て込むことができる。このため従来の遮水性山留め壁１００の施工行程の作業を遅延なく進めることができる。
【００３９】
また、前記通水部２は、遮水性山留め壁１００の施工時は閉鎖されており、地下水を遮水するため、遮水状態で地下構造物１１０ｃを造築することを可能にする。
【００４０】
次に、本発明の地下水流保全機能を有する山留め壁における水通過孔１の形成作用について説明する。地下水流を保全したい任意の時期に、まず、電解質溶液供給口８ａから、塩水などの電解質溶液５を電解質溶液供給パイプ８経由で通水部２に充填する。次に、直流電源１３の陽極を接続端子１４ａに、陰極を電線１３ｂに接続し、通水部２内部に設けた電極４に電圧を印可する。陰極の電極４と相対する陽極が接続された通水部２との間に電解質溶液を介して電流が流れ、貫通部７が電食されて破壊貫通される。この方法によれば、地表１５０または、開削された床付け面１０７から地中の通水部２に任意の時期に水通過孔１を形成することができる。
【００４１】
さらに、破砕部１０は、破壊貫通された通水部２からの電解質溶液との水和反応で膨張してソイルモルタル壁１７や鉄筋コンクリート壁１８の固化したソイルモルタル１７ｂまたはコンクリート１８ｃを破砕し水通過孔１を形成する。
【００４２】
次に本発明の山留め壁の施工方法について詳細に説明する。
【００４３】
請求項１０の山留め壁の施工方法は、水通過孔１を、開削された地下開削構造物１１０ｃの床付け１０７よりさらに深い位置の遮水性山留め壁１００部分に配設し、地下開削構造物１１０ｃの施工後の任意の時期に通水部２を破壊貫通することにより水通過孔１を形成し、遮水性山留め壁１００で遮断されていた地下水流１６０の通水を保全する。この方法によれば、従来不可能であった開削部より深い位置の地下水流を復旧させることができる。
【００４４】
請求項１１の山留め壁の施工方法は、水通過孔１を、地下開削構造物１１０ｃの側面または上部の遮水性山留め壁１００部分に配設し、施工途中の任意の時期に通水部２を破壊貫通して水通過孔１を形成し、地下水流の上流部と下流部の通水口を通水パイプ３０で連結することにより遮水性山留め壁１００で遮断されていた地下水流１６０の通水を保全する。この工法によれば、地下構築物の造築中から通水を復旧することができる。このため、地下水流の遮断による影響、被害を最小にすることができる。
【００４５】
請求項１２の山留め壁の施工方法は、水通過孔１を、地下開削構造物１１０ｃの側面または上部の遮水性山留め壁１００部分の通水部２であって、地下開削構造物の施工と埋め戻し地上復旧後の任意の時期に、通水部２を破壊貫通することにより水通過孔１を形成し、遮水性山留め壁１００で遮断されていた地下水流を保全をする。この工法によれば、交通遮断など地上部の復旧が急がれている現場においても、地上部の復旧後に地中の地下水流を復活させることができる。
【００４６】
図９は、本発明の地下水流保全機能を有する遮水性山留め壁１００の施工後の地下水流の復旧状況を示す模式図である。
【００４７】
施工中は遮水性山留め壁１００により遮水した状態で地下構築物１１０ｃを造築し、開削した構築物の上部を埋め戻した状態を示す。図に示すように、透水層１０５ａに接する仮壁部１の内部には通水パイプ３０を配置して埋め戻すことにより地下水流１０６ａを復旧させている。
【００４８】
さらに、本発明によれば床付け１０７より深い透水層１０５ｂに接する仮壁部１をも破壊することにより地下水流１０６ｂを復旧させることができる。
【００４９】
【発明の効果】
本発明の地下水流保全機能を有する遮水性山留め壁によれば、地下構築物の造築後に、透水層に設けられた遮水性山留め壁の通水を埋め戻し工程と共に容易に復旧させることができる。特に、床付け部以深の大深度の地下水流の復旧を、容易に、経済的に行うことができる。
【００５０】
請求項１０の山留め壁の施工方法によれば、従来不可能であった開削部より深い位置の地下水流を復旧させることができる。
【００５１】
請求項１１の山留め壁の施工方法によれば、地下構築物の造築中から通水を復旧することができる。このため、地下水流の遮断による影響、被害を最小にすることができる。
【００５２】
請求項１２の山留め壁の施工方法によれば、交通遮断など地上部の復旧が急がれている現場においても、地上部の復旧後に地中の地下水流を復活させることができる。
【図面の簡単な説明】
【図１】  鋼矢板を用いた本発明の地下水流保全機能を有する山留め壁の一実施の形態を示す正面図である。
【図２】  図１のＡ−Ａ断面を示す横断面図である。
【図３】  鋼管矢板を用いた本発明の地下水流保全機能を有する山留め壁の一実施の形態を示す平面図である。
【図４】  図３のＢ−Ｂ断面を示す縦断面図である。
【図５】  ソイルセメントを用いた本発明の地下水流保全機能を有する山留め壁の一実施の形態を示す平面図である。
【図６】  図５のＣ−Ｃ断面を示す縦断面図である。
【図７】  鉄筋コンクリートを用いた本発明の地下水流保全機能を有する山留め壁の一実施の形態を示す平面図である。
【図８】  図７のＤ−Ｄ断面を示す縦断面図である。
【図９】  本発明の地下水流保全機能を有する山留め壁の施工後の地下水流の復旧状況を示す模式図である。
【図１０】  遮水性山留め壁により地下水流が遮断される状態を示す模式図である。
【符号の説明】
１      水通過孔
２      通水部
３      本体部
３ａ    上板
３ｂ    金網
３ｃ    下板
３ｄ    側板
４      電極
４ａ    電極支持部材
５      電解質溶液
６      間隙充填物
７      貫通部（電食による破壊貫通部及び破砕による貫通部）
８      電解質溶液供給パイプ
８ａ    電解溶液供給口
８ｂ    バルブ
９      絶縁層
１０      破砕部
１０ａ    四角枠
１０ｂ    防水カバー
１１      膨張性破砕材包装体
１３      直流電源
１３ａ、１３ｂ    電線
１４ａ、１４ｂ    接続端子
１５      鋼矢板
１５ａ    連結部
１６      鋼管矢板
１６ａ    連結部
１７      ソイルモルタル壁
１７ａ    Ｈ形鋼
１７ｂ    ソイルモルタル
１８      鉄筋コンクリート壁
１８ａ、１８ｂ    鉄筋（主筋、フープ筋）
１００、１００ａ、１００ｂ    遮水性土留め壁
１０５ａ、ｂ    透水層
１０６ａ、ｂ    不透水層
１０７      床付け
１１０ａ、ｂ    構築物
１１０ｃ    地下構築物
１２０      井戸
１３０ａ、ｂ    立木
１５０ａ、ｂ    地表
１６０ａ、ｂ    地下水流
【図１】
0003650799.tif 000002
【図２】
0003650799.tif 000003
【図３】
0003650799.tif 000004
【図４】
0003650799.tif 000005
【図５】
0003650799.tif 000006
【図６】
0003650799.tif 000007
【図７】
0003650799.tif 000008
【図８】
0003650799.tif 000009
【図９】
0003650799.tif 000010
【図１０】
0003650799.tif 000011